(57)【要約】【課題】  アンテナを電源ラインで兼用することによって基板の面積を小さくする。【解決手段】  送信回路１又は／及び受信回路１１と、送信回路１又は／及び受信回路１１をその面上に構成する回路基板５とを有し、回路基板５上には送信回路１又は／及び受信回路１１に電源電圧を供給するための電源ライン６を設け、電源ライン６における一部６ａの長さ範囲Ｌの一端を高周波的に接地すると共に、他端をグランドから高周波的に浮かし、送信回路１又は／及び受信回路１１におけるアンテナ接続端４ａ、１２ａを一部６ａの長さ範囲Ｌの途中の位置Ｐに結合して、電源ライン６をアンテナとして兼用した。【選択図】        図１
2005323249.tif 000002
【特許請求の範囲】
【請求項１】
送信回路又は／及び受信回路と、前記送信回路又は／及び受信回路をその面上に構成する回路基板とを有し、前記回路基板上には前記送信回路又は／及び受信回路に電源電圧を供給するための電源ラインを設け、前記電源ラインにおける一部の長さ範囲の一端を高周波的に接地すると共に、他端をグランドから高周波的に浮かし、前記送信回路又は／及び受信回路におけるアンテナ接続ポイントを前記一部の長さ範囲の途中の位置に結合したことを特徴とする無線装置。
【請求項２】
前記一端をバイパスコンデンサを介して接地し、前記他端を第一の高周波チョークコイルを介して前記電源ラインの他の部分に接続したことを特徴とする請求項１に記載の無線装置。
【請求項３】
前記電源ラインにおける前記一部の長さ範囲の途中の位置から第二の高周波チョークコイルを介して前記送信回路又は／及び受信回路に前記電源電圧を供給したことを特徴とする請求項１又は２に記載の無線装置。
【請求項４】
前記一部の長さを送信周波数又は／及び受信周波数に対応する波長の１／１０〜１／４としたことを特徴とする請求項１乃至３の何れかに記載の無線装置。
【発明の詳細な説明】
【技術分野】
【０００１】
この発明は、無線装置に関する。
【背景技術】
【０００２】
従来の無線装置を図４に従って説明する。多層基板における最上層の基板にアンテナ部２１が構成される、このアンテナ部２１には、給電部２２と、マイクロストリップラインにより形成された放射器（アンテナ）２３と、放射器２３と給電部２２とを結合する移相器２４とが設けられる。給電部２２にはビアホール２８Ａが設けられ、このビアホール２８Ａは下層の基板に設けられた送信部、受信部の給電部（図示せず）に接続される。送信回路及び受信回路には下層の基板に設けられたストリップラインで構成された電源ラインから電源電圧が供給される（例えば、特許文献１参照。）。
【０００３】
【特許文献１】特開平０５−１８３３２８号公報（図３）
【発明の開示】
【発明が解決しようとする課題】
【０００４】
従来の無線装置では、アンテナ２３及び電源ラインがそれぞれ専用のストリップラインで構成されているので、基板の面積が大きくなるという問題がある。
【０００５】
本発明は、アンテナを電源ラインで兼用することによって基板の面積を小さくすることを目的とする。
【課題を解決するための手段】
【０００６】
本発明は、上記課題を解決する手段として、送信回路又は／及び受信回路と、前記送信回路又は／及び受信回路をその面上に構成する回路基板とを有し、前記回路基板上には前記送信回路又は／及び受信回路に電源電圧を供給するための電源ラインを設け、前記電源ラインにおける一部の長さ範囲の一端を高周波的に接地すると共に、他端をグランドから高周波的に浮かし、前記送信回路又は／及び受信回路におけるアンテナ接続ポイントを前記一部の長さ範囲の途中の位置に結合した。
【０００７】
また、前記一端をバイパスコンデンサを介して接地し、前記他端を第一の高周波チョークコイルを介して前記電源ラインの他の部分に接続した。
【０００８】
また、前記電源ラインにおける前記一部の長さ範囲の途中の位置から第二の高周波チョークコイルを介して前記送信回路又は／及び受信回路に前記電源電圧を供給した。
【０００９】
また、前記一部の長さを送信周波数又は／及び受信周波数に対応する波長の１／１０〜１／４とした。
【発明の効果】
【００１０】
請求項１に記載の発明によれば、送信回路又は／及び受信回路をその面上に構成する回路基板とを有し、回路基板上には送信回路又は／及び受信回路に電源電圧を供給するための電源ラインを設け、電源ラインにおける一部の長さ範囲の一端を高周波的に接地すると共に、他端をグランドから高周波的に浮かし、送信回路又は／及び受信回路におけるアンテナ接続端をその一部の長さ範囲の途中の位置に結合したので、電源ラインをアンテナとして兼用することが可能となり、回路基板の表面積を少なくすることができる。
【００１１】
また、請求項２に記載の発明によれば、一端をバイパスコンデンサを介して接地し、他端を第一の高周波チョークコイルを介して電源ラインの他の部分に接続したので、電源ラインを逆Ｆ型のアンテナとして構成できる。
【００１２】
また、請求項３に記載の発明によれば、電源ラインにおける一部の長さ範囲の途中の位置から第二の高周波チョークコイルを介して送信回路又は／及び受信回路に電源電圧を供給したので、アンテナの特性に影響を及ぼすことなく電源を供給できる。
【００１３】
また、請求項４に記載の発明によれば、電源ラインの一部の長さを送信周波数又は／及び受信周波数に対応する波長の１／１０〜１／４としたので、送信信号又は受信信号を効率よく放射又は受信できる。
【発明を実施するための最良の形態】
【００１４】
図１を参照して本発明の無線装置（例えば送信回路）を説明する。送信回路１は変調回路２、ドライバー回路３、パワーアンプ４等からなり、これらは回路基板５上に構成される。各回路には、回路基板５上に設けられた電源ライン６から電源電圧が供給される。電源ライン６は帯状の導体パターンによって形成され、何れか一方の端部は図示しない電源回路に接続される。
【００１５】
そして、アンテナに接続されるべき送信回路１の出力端（アンテナ接続端）、即ちパワーアンプ４の出力端４ａは、電源ライン５における一部６ａの長さ範囲Ｌの途中の位置Ｐに結合される。また、この長さ範囲Ｌの一端は高周波接地用のバイパスコンデンサ７によってグランドに接続され、他端は第１の高周波チョークコイル８を介して電源ライン５の他の部分６ｂに接続される。この長さ範囲Ｌの長さは、送信周波数に対応する波長の１／１０〜１／４に設定される。そして、パワーアンプ４には電源ライン６ａから第２のチョークコイル９を介して電源電圧が供給される。他の回路、即ち、変調回路２、ドライバー回路３には電源ライン６ｂから供給されるが電源ライン６ｂは適宜の位置においてバイパスコンデンサ１０を介してグランドに接続される。
【００１６】
この構成によれば、上記の一部の電源ライン６ａにおける長さＬの範囲は図２に示すように逆Ｆ型の送信アンテナを構成するので、専用のアンテナを設ける必要がない。
【００１７】
図３は本発明を受信回路に適用した場合の構成を示す。受信回路１１は、高周波増幅回路１２、周波数変換回路１３、復調回路１４等を有する。そして、アンテナに接続されるべき送信回路１１の入力端（アンテナ接続端）、即ち、高周波増幅回路１２の入力端１２ａが、電源ライン６における一部６ａの長さ範囲Ｌの途中の位置Ｐに結合される。また、この長さ範囲Ｌの一端は高周波接地用のバイパスコンデンサ７によってグランドに接続され、他端は第１の高周波チョークコイル８を介して電源ライン６の他の部分６ｂに接続される。この長さ範囲Ｌの長さは、受信周波数に対応する波長の１／１０〜１／４に設定される。そして、高周波増幅回路１２には電源ライン６ａから第２のチョークコイル９を介して電源電圧が供給される。他の回路、即ち、周波数変換回路１３、復調回路１４には電源ライン６ｂから供給される。電源ライン６ｂは適宜の位置においてバイパスコンデンサ１０を介してグランドに接続される。
【００１８】
この構成によれば、上記の一部の電源ライン６ａにおける長さＬの範囲は図２に示すように逆Ｆ型の受信アンテナを構成するので、専用のアンテナを設ける必要がない。
【００１９】
なお、送信回路１と受信回路１１とを有する場合には、送信回路１の出力端と受信回路１１の入力端とを電源ライン６ａのＰ点に接続すればよい。
【図面の簡単な説明】
【００２０】
【図１】本発明の無線装置の構成を示す回路図である。
【図２】本発明の無線装置の等価回路図である。
【図３】本発明の無線装置の他の構成を示す回路図である。
【図４】従来の無線装置の構成を示す回路図である。
【符号の説明】
【００２１】
１：送信回路
２：変調回路
３：ドライバー回路
４：パワーアンプ
５：回路基板
６：電源ライン
７、１０：バイパスコンデンサ
８：第１の高周波チョークコイル
９：第２の高周波チョークコイル
１１：受信回路
１２：高周波増幅回路
１３：周波数変換回路
１４：復調回路
【図１】
2005323249.tif 000003
【図２】
2005323249.tif 000004
【図３】
2005323249.tif 000005
【図４】
2005323249.tif 000006